(57)【要約】【課題】換気と一定温度を保持する必要のある建物の室内の温度を安定させ、電力使用量が少ない換気方法および換気装置を提供する。【解決手段】被制御室１２と、被制御室１２内に配置された空調装置１４と、吸排気装置１６とを具備し、吸排気装置１６は、多孔質のセラミックス層１８と、水を供給する給水手段２０と、被制御室１２内外の空気を吸排気する吸排気ファンとを具備する換気装置１０を用い、外気温が被制御室１２内の温度より高い時、吸排気ファンを駆動して吸気と排気とを交互に繰り返し、排気時には被制御室１２内の冷たい空気を排気し、セラミックス層１８を通過させてセラミックス層１８を冷却し、吸気時には外気を冷却されたセラミックス層１８を通過させて熱交換をすると共に、セラミックス層１８を通過する水によって冷却し、被制御室１２内に冷気を導入する。【選択図】図１
2014029260.tif 000002
【特許請求の範囲】
【請求項１】
被制御室と、前記被制御室内に配置され、前記被制御室内の温度を所要設定温度に調整する空調装置と、吸排気装置とを具備し、
前記吸排気装置は、空気を通過させる多孔質のセラミックス層と、該セラミックス層に水を供給する給水手段と、前記セラミックス層と前記被制御室外とを連通する第１の吸排気口と、前記セラミックス層と前記被制御室内とを連通する第２の吸排気口と、前記第１の吸排気口および第２の吸排気口から、前記被制御室内外の空気を吸排気する吸排気ファンとを具備する換気装置を用い、
外気温が前記被制御室内の温度より高い時、前記吸排気ファンを駆動することにより、吸気と排気とを交互に繰り返して、排気時には、前記被制御室内の空気を排気して、前記被制御室内の冷たい空気を前記セラミックス層を通過させることによって前記セラミックス層を冷却し、吸気時には、外気を冷却された前記セラミックス層を通過させて熱交換をすると共に、前記セラミックス層を通過する水によって冷却し、前記被制御室内に冷気を導入することを特徴とする換気方法。
【請求項２】
外気温が前記被制御室内の温度より低い時、前記吸排気ファンを駆動することにより、吸気と排気とを交互に繰り返して、排気時には、前記被制御室内の空気を排気して、前記被制御室内の温かい空気を前記セラミックス層を通過させることによって前記セラミックス層を加熱し、吸気時には、外気を加熱された前記セラミックス層を通過させて熱交換をすると共に、前記セラミックス層を通過する水によって加熱し、前記被制御室内に暖気を導入することを特徴とする請求項１に記載の換気方法。
【請求項３】
被制御室と、
前記被制御室内に配置され、前記被制御室内の温度を所要設定温度に調整する空調装置と、
吸排気装置とを具備し、
前記吸排気装置は、空気を通過させる多孔質のセラミックス層と、
該セラミックス層に水を供給する給水手段と、
前記セラミックス層と前記被制御室外とを連通する第１の吸排気口と、
前記セラミックス層と前記被制御室内とを連通する第２の吸排気口と、
前記第１の吸排気口および第２の吸排気口から、前記被制御室内外の空気を吸排気する吸排気ファンとを具備することを特徴とする換気装置。
【請求項４】
前記セラミックス層が連通した気孔を有する多孔質体であり、気孔率が６０〜７５％、かさ密度が０．５５〜０．６５［ｇ／ｃｍ３］、飽和含水率を４５〜５５質量％、比表面積が０．５〜５．０［ｍ２／ｇ］、熱伝導率が０．１〜０．２［Ｗ／（ｍ・Ｋ）］であることを特徴とする請求項３に記載の換気装置。
【発明の詳細な説明】
【技術分野】
【０００１】
本発明は、換気方法および換気装置に関し、詳しくは、多孔質のセラミックスを用いた
換気方法および換気装置に関するものである。
【背景技術】
【０００２】
建築物の室内の換気には換気装置やエアコン等の空調装置が用いられ、空調装置では換気に加えて冷房、暖房、加湿、除湿もできる。例えば、植物工場等の施設は、栽培される植物に適した環境にするため、換気をしながら常時低温かつ常時高湿にする必要がある。換気、温度調整、湿度調整が必要な施設の室内では、室内に外気を導入して換気する場合、外気温が高いと室内温度が大きく上昇してしまう。このため、外気温が高くなる季節においては空調装置、特に冷房装置が頻繁に稼動する。これとは逆に、外気温が低すぎると室内の気温は大きく低下して空調装置、特に暖房装置が頻繁に稼働する。大きな建築物の室内で何台もの空調装置を配置して室内の環境を調整した場合、電力使用量が多く、大きなエネルギーコストが掛かることになる。このため、自然エネルギーを利用し、室内を冷房することができる構造物がある。
【０００３】
従来の自然エネルギーを利用し、室内を冷房することができる構造物として、吸水性多孔質体の表面からの水の蒸発に基づく蒸発潜熱によって壁体内に流入する空気を冷却する冷却壁体が特許文献１に開示されている。
【先行技術文献】
【特許文献】
【０００４】
【特許文献１】特開平０９−２７９７０７号公報
【発明の概要】
【発明が解決しようとする課題】
【０００５】
特許文献１に開示されている冷却壁体は、吸水性多孔質体の表面からの蒸発潜熱を利用していて、吸水性多孔質体を配列し、吸水性多孔質体と吸水性多孔質体との間に空気を通過させて、空気を冷却させている。このため、冷却される空気は、吸水性多孔質体の表面に接した空気または吸水性多孔質体の表面付近を通過した空気だけである。大量に空気を導入して換気し、さらには大量に空気を冷却するには、冷却効果が低く、効率が悪いという課題がある。他にも、長時間に亘って室内温度を安定させることが難しい。
【０００６】
そこで本発明は上記課題を解決するためになされたもので、その目的とするところは、換気と一定温度を保持する必要のある建物の室内の温度を安定させ、電力使用量が少ない換気方法および換気装置を提供することにある。
【課題を解決するための手段】
【０００７】
上記目的を達成するため、本発明の換気方法は次の構成を備える。すなわち本発明は、被制御室と、前記被制御室内に配置され、前記被制御室内の温度を所要設定温度に調整する空調装置と、吸排気装置とを具備し、前記吸排気装置は、空気を通過させる多孔質のセラミックス層と、該セラミックス層に水を供給する給水手段と、前記セラミックス層と前記被制御室外とを連通する第１の吸排気口と、前記セラミックス層と前記被制御室内とを連通する第２の吸排気口と、前記第１の吸排気口および第２の吸排気口から、前記被制御室内外の空気を吸排気する吸排気ファンとを具備する換気装置を用い、外気温が前記被制御室内の温度より高い時、前記吸排気ファンを駆動することにより、吸気と排気とを交互に繰り返して、排気時には、前記被制御室内の空気を排気して、前記被制御室内の冷たい空気を前記セラミックス層を通過させることによって前記セラミックス層を冷却し、吸気時には、外気を冷却された前記セラミックス層を通過させて熱交換をすると共に、前記セラミックス層を通過する水によって冷却し、前記被制御室内に冷気を導入することを特徴とする。この構成によれば、電力消費量が少なく大量に空気を導入して換気し、さらには大量に空気を冷却して、被制御室内を冷却して安定した温度にすることができる。
【０００８】
また、本発明において、外気温が前記被制御室内の温度より低い時、前記吸排気ファンを駆動することにより、吸気と排気とを交互に繰り返して、排気時には、前記被制御室内の空気を排気して、前記被制御室内の温かい空気を前記セラミックス層を通過させることによって前記セラミックス層を加熱し、吸気時には、外気を加熱された前記セラミックス層を通過させて熱交換をすると共に、前記セラミックス層を通過する水によって加熱し、前記被制御室内に暖気を導入することが好ましい。これによれば、外気温が低くても導入される空気は加熱され、被制御室内は安定した温度となり換気しながら暖房することができる。また、外気が乾燥していても湿度が高い空気を導入することができる。
【０００９】
上記目的を達成するため、本発明の換気装置は次の構成を備える。すなわち本発明は、被制御室と、前記被制御室内に配置され、前記被制御室内の温度を所要設定温度に調整する空調装置と、吸排気装置とを具備し、前記吸排気装置は、空気を通過させる多孔質のセラミックス層と、該セラミックス層に水を供給する給水手段と、前記セラミックス層と前記被制御室外とを連通する第１の吸排気口と、前記セラミックス層と前記被制御室内とを連通する第２の吸排気口と、前記第１の吸排気口および第２の吸排気口から、前記被制御室内外の空気を吸排気する吸排気ファンとを具備することを特徴とする。この構成によれば、空気を吸排気する時は、被制御室内に配置した多孔質のセラミックス層内を通過させるので、空気は熱交換され、被制御室内に導入される空気は、安定した温度となる。また、ファンを設けて空気を通過させるので、空気を大量に熱交換することができ、被制御室が広くても用いることができる。
【００１０】
また、本発明において、前記セラミックス層が連通した気孔を有する多孔質体であり、気孔率が６０〜７５％、かさ密度が０．５５〜０．６５［ｇ／ｃｍ３］、飽和含水率を４５〜５５質量％、比表面積が０．５〜５．０［ｍ２／ｇ］、熱伝導率が０．１〜０．２［Ｗ／（ｍ・Ｋ）］であることが好ましい。これによれば、セラミックス層の通気性が良好であり、透水性を備え、保水性も優れているので、空気は熱交換されやすい。
【発明の効果】
【００１１】
本発明に係る換気方法および換気装置によれば、室内に配置されたセラミックス層内を通過させて空気を吸排気するので、換気と一定温度を保持する必要のある建物の室内の温度を安定させ、電力使用量を少なくすることができる。
【図面の簡単な説明】
【００１２】
【図１】本発明の実施形態に係る換気装置の一例を示す説明図である。
【図２】本発明の実施形態に係る吸排気装置の一例を示す正面図である。
【図３】本発明の実施形態に係る吸排気装置から第１の吸排気口または第２の吸排気口を取り外した状態の一例を示す側面図である。
【図４】本発明の実施形態に係るセラミックス層の一例を示す説明図である。
【図５】セラミックス層に給水しないで換気装置を運転させた時の被制御室外の空気温度と第２の吸排気口から排出された空気の温度の変化を示す説明図である。
【図６】本発明の実施形態に係る換気装置を夏季に２４時間運転させた時の被制御室外の空気温度と第２の吸排気口から排出された空気の温度の変化を示す説明図である。
【図７】本発明の実施形態に係る換気装置を冬季に２４時間運転させた時の被制御室外の空気温度と第２の吸排気口から排出された空気の温度の変化を示す説明図である。
【発明を実施するための形態】
【００１３】
以下、図面を参照して、本発明の実施形態を詳細に説明する。
【００１４】
図１は本発明の実施形態に係る換気装置１０の一例を示す説明図である。
本実施形態の特徴は、温度、湿度等の室内環境を安定させて、被制御室内の温度状態、湿度状態等をほぼ一定にすることができる換気装置１０である。また、多孔質のセラミックス層１８に水を給水して水を含ませ、セラミックス層１８内に被制御室内の空気または外気を通過させることで、導入される外気を冷やすまたは温めることができる換気装置１０である。
【００１５】
換気装置１０は、被制御室１２と、被制御室内に配置され、被制御室内の温度を所要設定温度に調整する空調装置１４と、吸排気装置１６とを具備する。ここで、空調装置１４と吸排気装置１６は別個に設けられている。被制御室内は空調装置１４と吸排気装置１６を併用するので、空調装置１４に掛かる負荷を減らし、空調装置１４と吸排気装置１６とを合わせた被制御室内全体の電力使用量は、空調装置１４を単独で用いた場合と比較して減る。
【００１６】
図２は本発明の実施形態に係る吸排気装置１６の一例を示す正面図である。図３は本発明の実施形態に係る吸排気装置１６から第１の吸排気口２２または第２の吸排気口２４を取り外し、枠体２６にセラミックス層１８を配置した状態の一例を示し、第１の吸排気口２２または第２の吸排気口２４が設けられていた側から見た側面図である。図１〜図３の吸排気装置には、複数枚のセラミックス層１８が配置されている。吸排気装置１６は、空気を通過させるセラミックス層１８と、セラミックス層１８に水を供給する給水手段２０を有する。セラミックス層１８は、面内方向に配向して連通した気孔が形成されている。連通した気孔の連通方向が水平方向になるようにセラミックス層１８を配置する。このことで、被制御室内外の空気を吸排気することができる。さらに垂直方向は水平方向と比較して連通した気孔が少ないので、給水手段２０によってセラミックス層１８に水を与えると、水が染み込んでも滴り落ちないので、セラミックス層１８を十分に保水させることができる。さらに、セラミックス層１８に保水されなかった水や結露現象によってセラミックス層１８に溜まった水は排出口２８から排出できる。
【００１７】
また、吸排気装置１６は、セラミックス層１８と被制御室外とを連通する第１の吸排気口２２と、セラミックス層１８と被制御室内とを連通する第２の吸排気口２４とを備える。さらに、第１の吸排気口２２および第２の吸排気口２４から被制御室内外の空気を吸排気する吸排気ファン（図示せず）を備える。第１の吸排気口２２および第２の吸排気口２４のそれぞれにファンが設けられ、ファンにより強制的にセラミックス層１８に空気を送り込んで、連通した気孔内を通過させることができるので、容易に、大量に吸排気させることができる。セラミックス層１８と第２の吸排気口２４は被制御室内に配置されているが、第１の吸排気口２２は必ずしも被制御室内に配置されていなくてもよく、被制御室外でもよい。
【００１８】
図４には、本発明の実施形態に係るセラミックス層１８の一例を示す説明図である。セラミックス層１８は、シート状のセラミックスが積層したような構造となっているため多孔質であり、層方向には連通した気孔が多く存在し、通気性が良好である。また、層方向に垂直方向では、層方向と比較して通気性が良くない。セラミックス層１８は多孔質なので吸水性はあり、層方向を、すなわち連通した気孔の連通方向を水平にして配置し、セラミックス層１８の上面から給水させることで、水が滴り落ちてセラミックス層１８内部を水が通過する。通過した水は下層のシートまで浸透してセラミックス層１８内を十分に水で満たし、大量に保水させることができる。
【００１９】
吸排気装置１６では、枠体２６内にセラミックス層１８を配置して、最上部のセラミックス層１８から水を供給できるようにした給水手段２０を設ける。給水手段２０として、給水源、給水管、給水口等を設けて、水道等の給水源から、給水管を通して給水する。また、給水管から供給された水は給水口に入り、セラミックス層１８に送られる。セラミックス層１８に給水する給水手段２０は本実施形態の構成に限定されるものではない。また、間欠的にセラミックス層１８に給水するように制御することもでき、外気の湿度が低い乾燥時は給水時間を長くする。また、温度センサー、湿度センサー等の室内環境、室外環境を検出する検出装置を設けてもよく、給水を自動制御できる。
【００２０】
第１の吸排気口２２と第２の吸排気口２４は、セラミックス層１８を挟む位置に設けることが好ましい。また、図３のように、第１の吸排気口２２と第２の吸排気口２４、給水口以外の箇所を枠体２６で塞いで空気が漏れないようにしてもよい。これにより、セラミックス層１８の連通した気孔内を通過して吸排気しやすくなる。吸排気ファンは一台で吸気および排気できるファンであり、この吸排気ファンをそれぞれ、第１の吸排気口２２と第２の吸排気口２４に設けている。また、第１の吸排気口２２と第２の吸排気口２４にフードを設けてもよく、外気および被制御室内の空気を導入して排出する吸排気口の向きは上向き、下向き、横向き等、特に限定されない。
【００２１】
また、吸排気装置１６に、吸排気ファンの吸気時には吸気して、排気時には排気できる切替手段を設けることが好ましい。これにより、１台の吸排気装置１６で吸気と排気を交互に運転させることができる。
また、吸排気装置１６を複数台設けてもよく、一方が吸気している時にもう一方を排気させ、吸排気量を同じにすることで、被制御室内を定圧状態に保つことができる。ただし、吸排気装置１６を複数台設けても、それぞれ単独では吸気と排気を交互に運転させる。また、吸排気装置１６を重ねて配置すれば、省スペース化が可能である。
【００２２】
セラミックス層１８は、層方向に十分な通気性があれば大きさは特に限定されなく、直方体（六面体）状のセラミックス層１８を隙間なく複数枚を積み重ねて、立方体状にしてもよい。
【００２３】
本実施形態の換気装置１０は通年使用ができる装置であり、常に被制御室内に安定した温度の空気を導入できる。セラミックス層１８は熱交換部材としてはたらき、外気と被制御室内の空気の熱交換を行うことができる。このため、外気と被制御室内の温度を比較した時、外気温が高ければ冷気を、外気温が低ければ暖気を被制御室内に導入することができる。さらに、安定した湿度の空気も導入できる。
【００２４】
安定した温度と湿度の空気を導入するには、吸気と排気とを交互に繰り返すことが必要である。交互運転させる時間間隔は、６０〜３００秒であり、外気の温度や湿度によって適宜変更する。これにより、安定した温度、湿度の空気を被制御室内に導入することができ、被制御室内の温度、湿度を一定に保てる。
また、室内環境、室外環境を検出する検出装置を設けて設け、さらに吸排気する空気の量、給水量等を制御できる制御部を換気装置１０に設ければ、自動制御でき、無人で稼働させることができる。
【００２５】
外気温は被制御室内と比較して、高い時もあれば低い時もある。同様に、外気の湿度も高い時があれば、低い時もある。しかし、あらゆる温度、湿度状態の外気であっても、被制御室内は一年を通して安定した温度、湿度を保つことができる。
被制御室内の温度は低くて外気温が高く、さらに外気の湿度が被制御室内より低い時、例えば夏季の場合、セラミックス層１８は給水されて水を含んでいるので、外気を吸気してセラミックス層１８を通過させることにより、吸水した水が蒸発する。この時、蒸発潜熱によってセラミックス層１８が冷却され、室内温度よりも低い温度となっている。冷却されたセラミックス層１８と熱交換して、セラミックス層１８を通過する外気も冷却され、被制御室内に冷たい空気が導入される。冷たい空気が導入された後、セラミックス層１８は温度が数℃上昇する。このため、再び被制御室内の冷たい空気を排気してセラミックス層１８が冷却され、吸気と排気が交互に続けられるので安定した温度の空気を導入することができる。
【００２６】
また、被制御室内の温度は低くて外気温が高く、湿度が高い時においては、例えば降雨時や夜間は、外気を吸気してセラミックス層１８を通過させても、吸水した水が外気に対して蒸発する量が減少するため、蒸発潜熱によってセラミックス層１８が冷却される効果は低下する。そこで被制御室内の冷たい空気を排気して、セラミックス層１８を通過させ、セラミックス層１８を冷却して低い温度にする。このことにより、吸気されてセラミックス層１８を通過する外気は、冷却されたセラミックス層１８によって熱交換されて被制御室内に、より冷たい空気が導入される。また、湿度が高くても外気を通過させれば、吸水した水がセラミックス層１８から蒸発する量はゼロではないため、冷却効果は低下するも蒸発潜熱によってセラミックス層１８は冷却され室内温度よりも低くなる。その後、再び被制御室内の冷たい空気を排気して、セラミックス層１８が冷却され続けるので、安定した温度の空気を導入することができる。
被制御室内の空気がセラミックス層１８を通過する時は、空気中の水分が露点以下となり結露することにより、セラミックス層１８全体に結露水が拡散してセラミックス層１８が冷却される。このとき、凝縮熱のことを考慮しても、セラミックス層１８は室内温度よりも低い。
【００２７】
外気の湿度の状態により、給水量は制御され、高湿度の時は給水量を減らしてもよい。湿度センサー等の検出装置によって湿度を検出して、給水量を自動制御することができ、運転状況を適宜切り替えられる。また、運転上はセラミックス層１８を常に湿潤状態にしておく必要があるので、給水を持続させるが、セラミックス層１８の吸水可能量の水が供給されても過剰な水は排出口２８から排出される。
【００２８】
被制御室内の温度は高くて外気温が低い時、例えば冬季の場合、被制御室内の温かい空気を排気して、セラミックス層１８を通過させることにより、セラミックス層１８が加熱される。セラミックス層１８は給水されて水を含み、その水温がセラミックス層１８に反映され、暖められている。その後、外気を吸気してセラミックス層１８を通過させることにより、熱交換して被制御室内に温かい空気が導入される。暖気が導入された後、再び被制御室内の温かい空気を排気して、セラミックス層１８が加熱され続けるので、安定した温度の空気を導入することができる。
【００２９】
吸排気装置１６によって導入される空気は、水を含んだセラミックス層１８を通過している。給水量を制御すれば、導入される空気の湿度を制御することができる。セラミックス層１８が吸水して飽和状態になれば、導入される空気は高湿度となり、相対湿度８０％以上の空気が導入される。
本実施形態の換気装置１０は吸排気できる装置なので、季節に関係なく常時定温状態にし、常時定湿にして換気を必要とする建築物を被制御室１２としてもよい。例として、食品工場、他にも有機溶剤を扱うような工場および二酸化炭素濃度を一定濃度以下にする必要がある植物工場等に用いることが好ましい。また、大きな風量を導入しながら効率的に外気を冷却、暖房することができ、導入される空気の湿度を高くし、安定した温度で高湿度に維持することができるので、特にきのこ栽培施設に好適であり、被制御室内に栽培瓶が収容される棚を設けてもよい。さらには、セラミックス層１８がフィルターとして機能し、栽培室内に導入する外気の清浄化も図ることができる。また、給水量を制御すればセラミックス層１８を通過する空気の湿度を制御でき、被制御室内での作業や植物の栽培に好適な湿度となる。
【００３０】
本実施形態の換気装置１０は、空調装置１４と吸排気装置１６を併用するものであり、併用した場合は、空調装置１４の稼動時間を短縮することができる。空調装置１４を単独で用いた場合と比較しても電力消費量が少なく、換気風量あたりの定格消費電力は０．３Ｗｈ／ｍ３未満となる。
また、空調装置１４を単独で用いると被制御室内は乾燥し、特に冬季は過乾燥となることもあるので、併用することで加湿することができ、乾燥しやすい空間および部屋の換気にも好ましい。
【００３１】
使用するセラミックス層１８は連通した気孔を有する吸水性多孔質体であり、気孔率が６０〜７５％、かさ密度が０．５５〜０．６５［ｇ／ｃｍ３］、飽和含水率を４５〜５５質量％、質量あたりの比表面積が０．５〜５．０［ｍ２／ｇ］である。さらに、熱伝導率が０．１〜０．２［Ｗ／（ｍ・Ｋ）］である。このように、多気孔で通気性のあるセラミックス層１８を用いているので、被制御室内の空気を大量に換気することができる。このような条件であれば、被制御室内に安定した温度状態、湿度状態の空気を十分に導入することができる。
気孔率が６０％未満で、かさ密度が０．６５［ｇ／ｃｍ３］より大きく、飽和含水率および比表面積ならびに熱伝導率が範囲外の場合は、セラミックス層１８の通気性、透水性、保水性が著しく低下し、潜熱による冷却機能ならびに熱交換機能の発現が極めて微小なものとなる。また、気孔率が７５％より大きくかつかさ密度が０．５５［ｇ／ｃｍ３］より小さい場合は、通気性および透水性が増加するが、保水性が著しく低下して潜熱による冷却機能ならびに熱交換機能の発現が極めて微小なものとなる。
【００３２】
また、使用するセラミックス層１８は吸水性多孔質体であるため、外気または被制御室内の空気が高湿度の時は、セラミックス層１８の調湿作用により吸湿して、外気または被制御室内の空気の水分を吸収する。このとき、セラミックス層１８に水を供給せずに換気装置１０を稼働させてもよい。このような場合でも、吸湿した水分によって室内の温度を安定させることができ、セラミックス層１８に給水した場合と同様な効果が得られる。ただし、給水した方が温度安定性の効果は高い。図５に、セラミックス層に給水しないで換気装置を運転させた時の被制御室外の空気温度と第２の吸排気口から排出された空気の温度の変化を示す。外気温度平均が−０．１℃のとき、給気温度平均が１９．３℃、室内温度平均が２１．４℃であり、温度安定性の効果を示した。なお、セラミックス層１８に給水させた時の温度変化は実施例で示す。
使用するセラミックス層１８は蓄熱または蓄冷効果を有するため、外気温の温度変化が大きくて導入される空気の温度が大きく変化しても、被制御室内に安定した温度の空気を導入できる。
【実施例】
【００３３】
以下、実施例により本実施形態を詳細に説明するが、これらの実施例に限定されるものではない。
【００３４】
［実施例１］  夏季の換気
以下の条件により、換気装置運転中における第２の吸排気気口付近の温度を測定した。
１．条件
日時：２０１１年８月２９日１２時〜２０１１年８月３０日１２時（２４時間運転）
２．使用したセラミックス層
外形寸法  ：幅５００×高さ５００×通風部長さ３３０ｍｍ（幅５００ｍｍ×長さ３３０ｍｍ×厚さ５０ｍｍのセラミックス層を１０枚積み重ねたもの）
気孔率    ：６７．４％
かさ密度  ：０．６２ｇ／ｃｍ３
飽和含水率：５２．２質量％
比表面積  ：３．０ｍ２／ｇ
熱伝導率  ：０．１３５Ｗ／（ｍ・Ｋ）
３．運転条件
セラミックス層１ｃｍ３あたりの通過風量：０．５４ｃｍ３／秒
セラミックス層の通過風速              ：０．１８ｍ／秒
セラミックス層内の通過時間            ：１．８秒
使用した吸排気ファンの定格電力        ：２９．５Ｗ
換気風量あたりの定格消費電力          ：０．１８Ｗｈ／ｍ３
吸排気ファンの運転切り替え            ：２分毎に交互運転
【００３５】
換気装置運転中の被制御室外の空気温度は、最高３５．０℃、最低２３．０℃、平均２８．４℃であった。換気装置運転中の被制御室外の空気湿度は、最高８５％、最低７０％であった。この被制御室外の空気を第１の吸排気口から吸気し、換気装置を通過させて、第２の吸排気口から排出された空気の温度は、最高１７．０℃、最低１６．０℃、平均１６．６℃であり、安定していた。また、排出された空気の湿度は、最高９８％、最低８５％で、高湿度であった。
図６に、換気装置を２４時間運転させた時の被制御室外の空気温度と第２の吸排気口から排出された空気の温度の変化を示す。このように、排出された空気の温度は安定している。
【００３６】
［実施例２］  冬季の換気
以下の条件により、換気装置運転中における第２の吸排気気口付近の温度を測定した。
１．条件
日時：２０１１年１２月３１日１２時〜２０１２年１月１日１２時（２４時間運転）
２．使用したセラミックス層
実施例１と同じ
３．運転条件
実施例１と同じ
【００３７】
換気装置運転中の被制御室外の空気温度は、最高７．０℃、最低−７．０℃、平均−２．１℃であった。換気装置運転中の被制御室外の空気湿度は、最高６５％、最低５５％であった。この被制御室外の空気を第１の吸排気口から吸気し、換気装置を通過させて、第２の吸排気口から排出された空気の温度は、最高１５．０℃、最低１３．０℃、平均１４．２℃であり、安定していた。また、排出された空気の湿度は、最高９５％、最低８５％で、高湿度であった。
図７に、換気装置を２４時間運転させた時の被制御室外の空気湿度と第２の吸排気口から排出された空気の温度の変化を示す。このように、排出された空気の温度は安定している。
【００３８】
［実施例３］  夏季の換気
以下の条件により、換気装置運転中における第２の吸排気気口付近の温度を測定した。
１．条件
日時：２０１１年９月２日１２時〜２０１１年９月３日１２時（２４時間運転）
２．使用したセラミックス層
外形寸法  ：幅３３０×高さ３３０×通風部長さ３３０ｍｍ（幅３３０ｍｍ×長さ３３０ｍｍ×厚さ５０ｍｍのセラミックス層を６枚、幅３３０ｍｍ×長さ３３０ｍｍ×厚さ３０ｍｍのセラミックス層を１枚の計７枚を積み重ねたもの）
気孔率    ：６９．５％
かさ密度  ：０．５８ｇ／ｃｍ３
飽和含水率：４８．６質量％
比表面積  ：０．６ｍ２／ｇ
熱伝導率  ：０．１２３Ｗ／（ｍ・Ｋ）
３．運転条件
セラミックス層１ｃｍ３あたりの通過風量：１．２４ｃｍ３／秒
セラミックス層の通過風速              ：０．４１ｍ／秒
セラミックス層内の通過時間            ：０．８１秒
使用した吸排気ファンの定格電力        ：２０Ｗ
換気風量あたりの定格消費電力          ：０．１２５Ｗｈ／ｍ３
吸排気ファンの運転切り替え            ：２分毎に交互運転
【００３９】
換気装置運転中の被制御室外の空気温度は、最高３５．１℃、最低２３．４℃、平均２８．４℃であった。換気装置運転中の被制御室外の空気湿度は、最高８５％、最低７５％であった。この被制御室外の空気を第１の吸排気口から吸気し、換気装置を通過させて、第２の吸排気口から排出された空気の温度は、最高１６．９℃、最低１６．３℃、平均１６．６℃であり、安定していた。また、排出された空気の湿度は、最高９９％、最低８５％で、高湿度であった。
【００４０】
［実施例４］  冬季の換気
以下の条件により、換気装置運転中における第２の吸排気気口付近の温度を測定した。
１．条件
日時：２０１２年１月３日１２時〜２０１２年１月４日１２時（２４時間運転）
２．使用したセラミックス層
実施例３と同じ
３．運転条件
実施例３と同じ
【００４１】
換気装置運転中の被制御室外の空気温度は、最高６．５℃、最低−７．６℃、平均−２．１℃であった。換気装置運転中の被制御室外の空気湿度は、最高６０％、最低５０％であった。この被制御室外の空気を第１の吸排気口から吸気し、換気装置を通過させて、第２の吸排気口から排出された空気の温度は、最高１５．２℃、最低１３．０℃、平均１４．２℃であり、安定していた。また、排出された空気の湿度は、最高８５％、最低７５％で、高湿度であった。
【符号の説明】
【００４２】
１０  換気装置
１２  被制御室
１４  空調装置
１６  吸排気装置
１８  セラミックス層
２０  給水手段
２２  第１の吸排気口
２４  第２の吸排気口
２６  枠体
２８  排出口
【図１】
2014029260.tif 000003
【図２】
2014029260.tif 000004
【図３】
2014029260.tif 000005
【図４】
2014029260.tif 000006
【図５】
2014029260.tif 000007
【図６】
2014029260.tif 000008
【図７】
2014029260.tif 000009